(57)【要約】【課題】隣接セルへ与える干渉を低減するとともに、スループットを向上させるスケジューリングを行う通信装置を提供すること。【解決手段】複数の端末と通信を行う通信制御装置（基地局装置１００）であって、所定の送信電力で送信された信号を各端末装置が測定した結果を示す受信レベル情報を受信する受信機（２７）と、通信先の通信制御装置との距離が遠い端末装置から順に他の端末装置に割り当てられていない周波数チャネルの中で通信特性の良い周波数チャネルを割り当てるスケジューリングを行い、その結果を示すスケジューリング情報を生成するスケジューリング部（１９）と、前記受信レベル情報と前記スケジューリング情報とに基づいて、各周波数チャネルに割り当てられた端末装置が所定の受信電力でデータを受信できるように送信電力を決定する送信電力決定部（２０）と、を備える。【選択図】図３
2007251651.tif 000002
【特許請求の範囲】
【請求項１】
複数の周波数チャネルに複数の端末装置を割り当てるスケジューリング方法であって、
通信先の通信制御装置との距離が遠い端末装置から順に他の端末装置に割り当てられていない周波数チャネルの中で通信特性の良い周波数チャネルを割り当てることを特徴とするスケジューリング方法。
【請求項２】
複数の周波数チャネルに複数の端末装置を割り当てるスケジューリング方法であって、
前記複数の端末装置において測定された受信レベルが低い端末装置から順に他の端末装置に割り当てられていない周波数チャネルの中で通信特性の良い周波数チャネルを割り当てることを特徴とするスケジューリング方法。
【請求項３】
複数の端末装置と通信を行う通信制御装置であって、
所定の送信電力で送信された信号を各端末装置が測定した結果を示す受信レベル情報を受信する受信機と、
請求項１または請求項２記載のスケジューリング方法を用いたスケジューリングを行いその結果を示すスケジューリング情報を生成するスケジューリング部と、
前記受信レベル情報と前記スケジューリング情報とに基づいて、各周波数チャネルに割り当てられた端末装置が所定の受信電力でデータを受信できるように送信電力を決定する送信電力決定部と、を備えることを特徴とする通信制御装置。
【請求項４】
変調パラメータを選択する適応変調制御部を、更に備えることを特徴とする請求項３記載の通信制御装置。
【請求項５】
前記受信機は、割り当てられた周波数チャネルにおいて各端末装置が測定した干渉レベルを示す干渉レベル情報を受信し、
前記適応変調制御部は、前記干渉レベル情報と、前記送信電力決定部において決定された送信電力と、前記受信レベル情報に基づいて変調パラメータを選択することを特徴とする請求項４記載の通信制御装置。
【請求項６】
複数の周波数チャネルに複数の端末装置を割り当てるスケジューリング装置であって、
通信先の通信制御装置との距離が遠い端末装置から順に他の端末装置に割り当てられていない周波数チャネルの中で通信特性の良い周波数チャネルを割り当て、割り当てた結果を示すスケジューリング情報を生成することを特徴とするスケジューリング装置。
【請求項７】
複数の周波数チャネルに複数の端末装置を割り当てるスケジューリング装置であって、
前記複数の端末装置において測定された受信レベルが低い端末装置から順に他の端末装置に割り当てられていない周波数チャネルの中で通信特性の良い周波数チャネルを割り当て、割り当てた結果を示すスケジューリング情報を生成することを特徴とするスケジューリング装置。
【請求項８】
複数の端末装置と通信先の通信制御装置との距離を示す端末装置−通信制御装置間距離情報に基づいて、通信先の通信制御装置との距離が遠い順に端末装置の割当順を決定する割当順決定部と、
決定した割当順に従って、他の端末装置に割り当てられていない周波数チャネルの中で通信特性の良い周波数チャネルを割り当て、割り当てた結果を示すスケジューリング情報を生成する割当部と、を備えることを特徴とする請求項６記載のスケジューリング装置。
【請求項９】
所定の送信電力で送信された信号を各端末装置が測定した結果を示す受信レベル情報に基づいて、受信レベルが低い順に端末装置の割当順を決定する割当順決定部と、
決定した割当順に従って、他の端末装置に割り当てられていない周波数チャネルの中で通信特性の良い周波数チャネルを割り当て、割り当てた結果を示すスケジューリング情報を生成する割当部と、を備えることを特徴とする請求項７記載のスケジューリング装置。
【請求項１０】
複数の周波数チャネルを用いて通信制御装置が複数の端末装置と通信を行う通信システムであって、
前記通信制御装置は、
各端末装置の位置を示す端末側位置情報を受信する制御側受信機と、
各端末装置との距離を算出し端末装置−通信制御装置間の距離が遠い端末装置から順に他の端末装置に割り当てられていない周波数チャネルの中で通信特性の良い周波数チャネルを割り当て、割り当てた結果を示すスケジューリング情報を生成するスケジューリング部と、
各周波数チャネルの受信レベルを測定し、測定した受信レベルを示す制御側受信レベル情報を出力する測定部と、
前記スケジューリング情報と前記制御側受信レベル情報を送信する制御側送信機と、を備え、
前記端末装置は、
前記通信制御装置から前記スケジューリング情報と前記制御側受信レベル情報とを受信する端末側受信機と、
前記スケジューリング情報と前記制御側受信レベル情報とに基づいて、前記通信制御装置が所定の受信電力でデータを受信できるように送信電力を決定する送信電力決定部と、を備えることを特徴とする通信システム。
【請求項１１】
複数の周波数チャネルを用いて通信制御装置が複数の端末装置と通信を行う通信システムであって、
前記通信制御装置は、
所定の送信電力で送信された信号を各端末装置が測定した結果を示す端末側受信レベル情報を受信する制御側受信機と、
前記複数の端末装置において測定された受信レベルが低い端末装置から順に他の端末装置に割り当てられていない周波数チャネルの中で通信特性の良い周波数チャネルを割り当て、割り当てた結果を示すスケジューリング情報を生成するスケジューリング部と、
各周波数チャネルの受信レベルを測定し、測定した受信レベルを示す制御側受信レベル情報を出力する測定部と、
前記スケジューリング情報と前記制御側受信レベル情報を送信する制御側送信機と、を備え、
前記端末装置は、
前記通信制御装置から前記スケジューリング情報と前記制御側受信レベル情報とを受信する端末側受信機と、
前記スケジューリング情報と前記制御側受信レベル情報とに基づいて、前記通信制御装置が所定の受信電力でデータを受信できるように送信電力を決定する送信電力決定部と、を備えることを特徴とする通信システム。
【発明の詳細な説明】
【技術分野】
【０００１】
本発明は、複数の周波数チャネルに複数の端末を割り当てるスケジューリングに関する。
【背景技術】
【０００２】
近年のデータ通信量の増加に伴い、より高い周波数利用効率を有する移動体通信システムの必要性が高まっており、それらを実現する様々な技術が提案されている。周波数利用効率を高める可能性を持った技術のひとつにＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）という技術がある。これは、変調方式としてＯＦＤＭを、アクセス方式としてＴＤＭＡ（Ｔｉｍｅ  Ｄｉｖｉｓｉｏｎ  Ｍｕｌｔｉｐｌｅ  Ａｃｃｅｓｓ）及びＦＤＭＡ（Ｆｒｅｑｕｅｎｃｙ  Ｄｉｖｉｓｉｏｎ  Ｍｕｌｔｉｐｌｅ  Ａｃｃｅｓｓ）を使用する技術である。
【０００３】
このＯＦＤＭＡを用いたシステムにおいて、より効率的な通信を行うために、周波数方向における伝搬路状況の良好な移動機に対し優先的に周波数チャネルを割り当てる周波数スケジューリング技術が盛んに検討されている（非特許文献１）。
【０００４】
非特許文献１における周波数スケジューリング技術では、各端末は各周波数チャネルの受信ＳＮＲ（Ｓｉｇｎａｌ  ｔｏ  Ｎｏｉｓｅ  ｐｏｗｅｒ  Ｒａｔｉｏ）を測定して基地局に報告し、基地局は一定時間間隔で通信品質の良いところから順に割り当てを行う。このような周波数スケジューリングを行うことにより、伝搬路状況の変動に応じて伝送する周波数チャネルを適応的に切り替えることが可能となり、スループットの向上が得られる。
【非特許文献１】牟田他著「周波数選択性フェージング下での適応チャネル選択方式」電子情報通信学会論文誌Ｂ  Ｖｏｌ．  Ｊ８２−ｂ  Ｎｏ．  ５  １９９９年５月、ｐ．９９１−１０００
【発明の開示】
【発明が解決しようとする課題】
【０００５】
しかしながら、非特許文献１における周波数スケジューリング方法は、各端末に対する送信電力を一定とするシステムにおいて有効な手法であり、端末の位置や伝搬路状況に応じた送信電力制御を行うシステムについては考慮されていない。端末毎に送信電力制御を行うシステムにおいては、通常、各端末における受信電力（ＳＮＲ）が一定になるよう基地局での送信電力が制御されるため、端末の位置により隣接セルへ与える干渉量が大きく異なる。このため、各端末に良好な周波数チャネルを割り当てることによりマルチユーザダイバーシチ利得を得つつ、隣接セルへ与える干渉を低減し高いスループットを得るためには、基地局と端末の位置関係を考慮した周波数スケジューリングを行う必要があるが、非特許文献１ではそのような要素が考慮されておらず、必ずしもシステム全体で高いスループットを得ることができない。
【０００６】
本発明は、このような事情に鑑みてなされたものであり、隣接セルへ与える干渉を低減するとともに、スループットを向上させるスケジューリング装置並びに方法を提供することを目的とする。
【課題を解決するための手段】
【０００７】
（１）上記課題を解決するために、本発明に係るスケジューリング方法の一態様は、複数の周波数チャネルに複数の端末装置を割り当てるスケジューリング方法であって、通信先の通信制御装置との距離が遠い端末装置から順に他の端末装置に割り当てられていない周波数チャネルの中で通信特性の良い周波数チャネルを割り当てることを特徴とする。
【０００８】
このように、各端末の位置情報（各端末と通信制御装置との距離）に基づいて、通信制御装置（基地局）は、端末の位置や受信状況に応じた周波数スケジューリングを行うことができる。特に、全体的な受信レベルの低い（より高い送信電力が必要となる）端末を優先した周波数チャネルの割り当てを行うことにより、通信制御装置から遠い地点に位置する端末、つまり隣接セルへ大きな影響を与える端末から順に良好な周波数チャネルを使用できる。
【０００９】
（２）また、本発明に係るスケジューリング方法の別の一態様は、複数の周波数チャネルに複数の端末装置を割り当てるスケジューリング方法であって、前記複数の端末装置において測定された受信レベルが低い端末装置から順に他の端末装置に割り当てられていない周波数チャネルの中で通信特性の良い周波数チャネルを割り当てることを特徴とする。
【００１０】
このように、各端末が測定した周波数チャネル毎の受信品質に基づいて、通信制御装置（基地局）は、端末の位置や受信状況に応じた周波数スケジューリングを行うことができる。特に、全体的な受信レベルの低い（より高い送信電力が必要となる）端末を優先した周波数チャネルの割り当てを行うことにより、通信制御装置から遠い地点に位置する端末、つまり隣接セルへ大きな影響を与える端末から順に良好な周波数チャネルを使用できる。
【００１１】
（３）さらに、本発明に係る通信制御装置の一態様は、複数の端末装置と通信を行う通信制御装置であって、所定の送信電力で送信された信号を各端末装置が測定した結果を示す受信レベル情報を受信する受信機と、上記（１）または上記（２）記載のスケジューリング方法を用いたスケジューリングを行いその結果を示すスケジューリング情報を生成するスケジューリング部と、前記受信レベル情報と前記スケジューリング情報とに基づいて、各周波数チャネルに割り当てられた端末装置が所定の受信電力でデータを受信できるように送信電力を決定する送信電力決定部と、を備えることを特徴とする。
【００１２】
このように、各端末が測定した周波数チャネル毎の受信品質に基づいて、通信制御装置（基地局）は、端末の位置や受信状況に応じた周波数スケジューリングを行うことができる。特に、全体的な受信レベルの低い（より高い送信電力が必要となる）端末を優先した周波数チャネルの割り当てを行うことにより、通信制御装置から遠い地点に位置する端末、つまり隣接セルへ大きな影響を与える端末から順に良好な周波数チャネルを使用できる。周波数スケジューリング及びスケジュール結果に基づく送信電力制御を行うことにより、マルチユーザダイバーシチの効果を得つつ隣接セルへ与える干渉電力を低減し、システム全体のスループットの向上を図ることができる。
【００１３】
（４）本発明に係る通信制御装置の一態様において、変調パラメータを選択する適応変調制御部を、更に備えることを特徴とする。
【００１４】
このように、前記スケジューリング情報に基づいて決定された送信電力、受信レベル等に基づいて、変調パラメータを選択することができる。
【００１５】
（５）本発明に係る通信制御装置の一態様において、前記受信機は、割り当てられた周波数チャネルにおいて各端末装置が測定した干渉レベルを示す干渉レベル情報を受信し、前記適応変調制御部は、前記干渉レベル情報と、前記送信電力決定部において決定された送信電力と、前記受信レベル情報に基づいて変調パラメータを選択する。
【００１６】
これにより、前記適応変調制御部は、端末の位置や受信状況に応じた変調パラメータを選択することが可能になる。
【００１７】
（６）本発明に係るスケジューリング装置の一態様は、複数の周波数チャネルに複数の端末装置を割り当てるスケジューリング装置であって、通信先の通信制御装置との距離が遠い端末装置から順に他の端末装置に割り当てられていない周波数チャネルの中で通信特性の良い周波数チャネルを割り当て、割り当てた結果を示すスケジューリング情報を生成することを特徴とする。
【００１８】
このように、各端末の位置情報（各端末と通信制御装置との距離）に基づいて、通信制御装置（基地局）は、端末の位置や受信状況に応じた周波数スケジューリングを行うことができる。特に、全体的な受信レベルの低い（より高い送信電力が必要となる）端末を優先した周波数チャネルの割り当てを行うことにより、通信制御装置から遠い地点に位置する端末、つまり隣接セルへ大きな影響を与える端末から順に良好な周波数チャネルを使用できる。
【００１９】
（７）本発明に係るスケジューリング装置の別の一態様は、複数の周波数チャネルに複数の端末装置を割り当てるスケジューリング装置であって、前記複数の端末装置において測定された受信レベルが低い端末装置から順に他の端末装置に割り当てられていない周波数チャネルの中で通信特性の良い周波数チャネルを割り当て、割り当てた結果を示すスケジューリング情報を生成することを特徴とする。
【００２０】
このように、各端末が測定した周波数チャネル毎の受信品質に基づいて、端末の位置や受信状況に応じた周波数スケジューリングを行うことができる。特に、全体的な受信レベルの低い（より高い送信電力が必要となる）端末を優先した周波数チャネルの割り当てを行うことにより、通信制御装置（基地局）から遠い地点に位置する端末、つまり隣接セルへ大きな影響を与える端末から順に良好な周波数チャネルを使用できる。
【００２１】
（８）本発明に係るスケジューリング装置の別の一態様は、複数の端末装置と通信先の通信制御装置との距離を示す端末装置−通信制御装置間距離情報に基づいて、通信先の通信制御装置との距離が遠い順に端末装置の割当順を決定する割当順決定部と、決定した割当順に従って、他の端末装置に割り当てられていない周波数チャネルの中で通信特性の良い周波数チャネルを割り当て、割り当てた結果を示すスケジューリング情報を生成する割当部と、を備えることを特徴とする。
【００２２】
このように、各端末の位置情報（各端末と通信制御装置との距離）に基づいて、通信制御装置（基地局）は、端末の位置や受信状況に応じた周波数スケジューリングを行うことができる。特に、全体的な受信レベルの低い（より高い送信電力が必要となる）端末を優先した周波数チャネルの割り当てを行うことにより、通信制御装置から遠い地点に位置する端末、つまり隣接セルへ大きな影響を与える端末から順に良好な周波数チャネルを使用できる。
【００２３】
（９）本発明に係るスケジューリング装置の一態様において、所定の送信電力で送信された信号を各端末装置が測定した結果を示す受信レベル情報に基づいて、受信レベルが低い順に端末装置の割当順を決定する割当順決定部と、決定した割当順に従って、他の端末装置に割り当てられていない周波数チャネルの中で通信特性の良い周波数チャネルを割り当て、割り当てた結果を示すスケジューリング情報を生成する割当部と、を備えることを特徴とする。
【００２４】
このように、割り当て可能な周波数チャネルから、受信状態が良好な周波数チャネルを優先して割り当てることにより、通信制御装置から遠い地点に位置する端末、つまり隣接セルへ大きな影響を与える端末から順に良好な周波数チャネルを使用できる。
【００２５】
（１０）本発明に係る通信システムの一態様は、複数の周波数チャネルを用いて通信制御装置が複数の端末装置と通信を行う通信システムであって、前記通信制御装置は、各端末装置の位置を示す端末側位置情報を受信する制御側受信機と、各端末装置との距離を算出し端末装置−通信制御装置間の距離が遠い端末装置から順に他の端末装置に割り当てられていない周波数チャネルの中で通信特性の良い周波数チャネルを割り当て、割り当てた結果を示すスケジューリング情報を生成するスケジューリング部と、各周波数チャネルの受信レベルを測定し、測定した受信レベルを示す制御側受信レベル情報を出力する測定部と、前記スケジューリング情報と前記制御側受信レベル情報を送信する制御側送信機と、を備え、前記端末装置は、前記通信制御装置から前記スケジューリング情報と前記制御側受信レベル情報とを受信する端末側受信機と、前記スケジューリング情報と前記制御側受信レベル情報とに基づいて、前記通信制御装置が所定の受信電力でデータを受信できるように送信電力を決定する送信電力決定部と、を備えることを特徴とする。
【００２６】
このように、各端末の位置情報（各端末と通信制御装置との距離）に基づいて、通信制御装置（基地局）は、端末の位置や受信状況に応じた周波数スケジューリングを行うことができる。特に、全体的な受信レベルの低い（より高い送信電力が必要となる）端末を優先した周波数チャネルの割り当てを行うことにより、通信制御装置から遠い地点に位置する端末、つまり隣接セルへ大きな影響を与える端末から順に良好な周波数チャネルを使用できる。周波数スケジューリング及びスケジュール結果に基づく送信電力制御を行うことにより、マルチユーザダイバーシチの効果を得つつ隣接セルへ与える干渉電力を低減し、システム全体のスループットの向上を図ることができる。
【００２７】
（１１）本発明に係る通信システムの一態様は、複数の周波数チャネルを用いて通信制御装置が複数の端末装置と通信を行う通信システムであって、前記通信制御装置は、所定の送信電力で送信された信号を各端末装置が測定した結果を示す端末側受信レベル情報を受信する制御側受信機と、前記複数の端末装置において測定された受信レベルが低い端末装置から順に、他の端末装置に割り当てられていない周波数チャネルの中で通信特性の良い周波数チャネルを割り当て、割り当てた結果を示すスケジューリング情報を生成するスケジューリング部と、各周波数チャネルの受信レベルを測定し、測定した受信レベルを示す制御側受信レベル情報を出力する測定部と、前記スケジューリング情報と前記制御側受信レベル情報を送信する制御側送信機と、を備え、前記端末装置は、前記通信制御装置から前記スケジューリング情報と前記制御側受信レベル情報とを受信する端末側受信機と、前記スケジューリング情報と前記制御側受信レベル情報とに基づいて、前記通信制御装置が所定の受信電力でデータを受信できるように送信電力を決定する送信電力決定部と、を備えることを特徴とする。
【００２８】
このように、各端末が測定した周波数チャネル毎の受信品質に基づいて、通信制御装置（基地局）は、端末の位置や受信状況に応じた周波数スケジューリングを行うことができる。特に、全体的な受信レベルの低い（より高い送信電力が必要となる）端末を優先した周波数チャネルの割り当てを行うことにより、通信制御装置から遠い地点に位置する端末、つまり隣接セルへ大きな影響を与える端末から順に良好な周波数チャネルを使用できる。周波数スケジューリング及びスケジュール結果に基づく送信電力制御を行うことにより、マルチユーザダイバーシチの効果を得つつ隣接セルへ与える干渉電力を低減し、システム全体のスループットの向上を図ることができる。
【発明の効果】
【００２９】
本発明によれば、隣接セルへ与える干渉を低減するとともに、スループットを向上させことが可能となる。
【発明を実施するための最良の形態】
【００３０】
次に、本発明の実施の形態について、図面を参照しながら説明する。各図面において同一の構成または機能を有する構成要素および相当部分には、同一の符号を付し、その説明は省略する。
【００３１】
以下の実施の形態では、まず、基地局から端末へのデータ伝送（ダウンリンク伝送）を例として、本発明に係る周波数スケジューリング方法及びスケジューリング装置、それを用いる通信制御装置、並びに、無線通信システムについて説明する。但し、本発明はダウンリンク伝送だけでなく、端末から基地局へのデータ伝送（アップリンク伝送）にも適用可能である。また、以下ではＯＦＤＭＡシステムを対象とした装置構成等を記載しているが、本発明はこれらに限らず、複数の周波数チャネルに端末がアクセスする全ての通信装置、無線通信システム、あるいは、所定の送信電力で送信された信号の受信電力を測定した受信レベル情報（受信電力情報）に基づいてスケジューリングを行う通信装置に対して適用可能である。また、通信制御装置は、複数の端末装置（通信先の通信装置）をスケジューリングする機能を備える通信装置であり、基地局装置（基地局）はその一例である。
【００３２】
以下の実施の形態における周波数スケジューリング方法は、各周波数チャネルにおける受信特性だけでなく基地局と端末の位置（距離）に応じてチャネル割り当てを行う優先順位を決める手法である。具体的には、基地局から離れた場所に位置する端末宛の信号ほど隣接セルに与える影響が大きくなるため、基地局から遠い端末から順にそれぞれ受信特性の良い周波数チャネルを選択する。そして、選択した周波数チャネルに応じた送信電力制御を行うことにより、隣接セルへ与える干渉の低減を図るものである。
【００３３】
図１に基地局と端末の位置関係を、図２に基地局と各端末間の距離減衰の例を示す。但し、説明を容易にするためセル数は２、端末数は周波数スケジューリングを行う対象とするセル１内に４つ（端末Ａ〜Ｄ）とする。ここでは、図１中、端末内に記した符号（Ａ〜Ｇ）によって、端末を区別するものとする。ここで、一般に電波は図２に示すように、距離に対して指数的に減衰して伝搬する。図２の横軸のＡからＤは、各端末が存在している基地局からの距離を示している。このような距離減衰となる状況において、端末における受信電力が全ての端末で一定（−９０ｄＢｍ）となるような送信電力制御を基地局で行う場合には、端末Ａに対しては−２０ｄＢｍ、端末Ｂに対しては−５ｄＢｍ、端末Ｃに対しては５ｄＢｍ、端末Ｄに対しては１０ｄＢｍの電力で送信すればよいこととなる。但し、この例では距離減衰のみを考慮し、建物等の遮蔽によるシャドウイングについては考慮していないが、シャドウイングがある場合にも、その分を考慮に入れた送信電力制御を行えばよい。本発明は、このような送信電力制御を端末毎に行うシステムを対象とするものである。
【００３４】
本実施の形態における基地局の装置構成と端末の装置構成を図３、図４にそれぞれ示す。図３は、本実施の形態の基地局装置１００の構成の一例を示すブロック図であり、図４は、本実施の形態の端末装置２００の構成の一例を示すブロック図である。
【００３５】
図３に示すように、本実施の形態の基地局装置１００は、アンテナ部１０、無線部１１、スイッチ１２、スケジューリング部１９、送信電力決定部２０、変調パラメータ決定部２１、受信機（制御側受信機）２７、並びに、送信機（制御側送信機）２８を備える。このうち受信機２７は、アナログ／ディジタル（Ａ／Ｄ）変換部１３、同期部１４、ガードインターバル（ＧＩ）除去部１５、シリアル／パラレル（Ｓ／Ｐ）変換部１６、ＦＦＴ（Ｆａｓｔ  Ｆｏｕｒｉｅｒ  Ｔｒａｎｓｆｏｒｍ）部１７、復調・誤り訂正復号部１８を備え、送信機２８は、誤り訂正符号化・変調部２２、送信電力制御部２３、ＩＦＦＴ（Ｉｎｖｅｒｓｅ  Ｆａｓｔ  Ｆｏｕｒｉｅｒ  Ｔｒａｎｓｆｏｒｍ）部２４、ＧＩ挿入部２５、ディジタル／アナログ（Ｄ／Ａ）変換部２６を備える。スケジューリング部１９は、スケジューリング装置に相当する構成要素である。
【００３６】
ここで、図３に示す基地局装置１００の動作の概略を説明する。まず、アンテナ部１０において受信された信号（各端末から送信された信号）は、無線部１１においてＡ／Ｄ変換可能な周波数に変換され、スイッチ１２を経由してＡ／Ｄ変換部１３にてアナログ信号からディジタル信号に変換される。次に、変換されたディジタル信号は、同期部１４においてシンボル同期が確立され、ＧＩ除去部１５においてシンボル毎にＧＩが除去された後、Ｓ／Ｐ変換部１６を経由してＦＦＴ部１７において周波数領域の信号に変換される。
【００３７】
受信信号には複数の周波数チャネルの（複数の端末から送信された）信号が含まれるため、変換された周波数領域の信号は、復調・誤り訂正復号部１８では、周波数チャネル毎または端末毎に復調及び誤り訂正復号が行われ、各端末から送信された受信データと受信レベル情報及び干渉レベル情報が得られる。受信レベル情報は、各端末が測定した受信レベルを示す情報であり、所定の送信電力で送信された信号を受信した複数の端末が受信電力を測定した受信電力情報を含む。干渉レベル情報は、各端末が測定した干渉レベルを示す情報である。
【００３８】
このようにして得られた受信レベル情報は、スケジューリング部１９と送信電力決定部２０に送られ、干渉レベル情報は、変調パラメータ決定部２１へ送られ、受信データは、上位層（図示していない）へ送られる。また、上位層からは、端末情報がスケジューリング部１９へ通知される。端末情報は、チャネルを割り当てる端末をリストアップした情報であり、端末番号や必要チャネル数等を含む。端末情報は、上位層によって作成される。
【００３９】
スケジューリング部１９は、受信レベル情報と端末情報を用いて周波数スケジューリングを行う。スケジューリング部１９は、受信レベル情報に基づいて、受信電力が低い端末から順に前記複数の周波数チャネルそれぞれへ端末を割り当てるスケジューリング情報を生成する。このスケジューリング部１９は、全周波数チャネルの受信レベルを平均する手段（平均部）や、各端末の受信レベルを比較する手段（比較部）等を含む。スケジューリング部１９が生成したスケジューリング情報は、送信電力決定部２０、誤り訂正符号化・変調部２２、及び上位層へ送られる。
【００４０】
送信電力決定部２０は、受信レベル情報とスケジューリング情報とに基づいて、各端末に対する送信電力を決定し、送信電力制御情報を生成する。送信電力決定部２０が生成した送信電力制御情報は、変調パラメータ決定部２１と送信電力制御部２３へ送られる。
【００４１】
変調パラメータ決定部２１は、受信電力レベル、干渉レベル情報、及び、送信電力制御情報を用いて、送信の際に使用される変調パラメータを決定し、変調パラメータ情報を生成する。変調パラメータ決定部２１が生成した変調パラメータ情報は、誤り訂正符号化・変調部２２と上位層へ送られる。変調パラメータは、変調方式と符号化率のいずれか一方あるいは変調方式と符号化率の組み合わせを示す。
【００４２】
上位層は、スケジューリング情報と変調パラメータ情報に基づいて、送信先となる端末への送信データを適切な量だけ誤り訂正符号化・変調部２２へ入力し、加えて各端末共通の制御情報も入力する。
【００４３】
誤り訂正符号化・変調部２２では、変調パラメータ情報とスケジューリング情報とに基づいて、各端末への送信データについて誤り訂正符号化及び変調を行い、送信信号を出力する。次いで、送信電力制御部２３は、送信電力制御情報に基づいて、それぞれの端末への送信信号に対して送信電力制御を行う。但し、全ての端末に対して共通の制御情報については、送信電力制御及び適応変調は行わず、予め決められた一定の電力で、予め決められた変調パラメータにより送信されるものとする。
【００４４】
送信電力制御された各端末に対する送信信号は、ＩＦＦＴ部２４において一括してＩＦＦＴ処理され、時間領域の信号に変換される。そして、ＧＩ挿入部２５においてＧＩが挿入された後、Ｄ／Ａ変換部２６においてディジタル信号からアナログ信号へ変換される。その後、スイッチ１２を経由し、無線部１１において送信可能な周波数帯へ周波数変換された後、アンテナ部１０から送信される。
【００４５】
次に、本実施の形態の端末装置２００について説明する。図４に示すように、本実施の形態の端末装置２００は、アンテナ部５０、無線部５１、スイッチ５２、受信レベル・干渉レベル測定部５９、受信機（端末側受信機）６４、並びに、送信機（端末側送信機）６５を備える。このうち、受信機６４は、Ａ／Ｄ変換部５３、同期部５４、ＧＩ除去部５５、Ｓ／Ｐ変換部５６、ＦＦＴ部５７、復調・誤り訂正復号部５８を備え、送信機６５は、誤り訂正符号化・変調部６０、ＩＦＦＴ部６１、ＧＩ挿入部６２、Ｄ／Ａ変換部６３を備える。但し、本実施の形態ではダウンリンク伝送を対象としているため、送信機内に送信電力制御部（図３には記載）は特に設けて（図示して）おらず、端末装置から基地局装置へ通知される情報（受信レベル情報、干渉レベル情報）は予め決められた一定の送信電力で送信されるものとする。
【００４６】
ここで、図４に示す端末装置２００の動作の概略を説明する。本実施の形態における端末装置２００は、基地局からセル内共通の制御信号をアンテナ部５０から受信し、無線部５１、スイッチ５２を経由して受信機６４において処理する際に、ＦＦＴ部５７からの出力（周波数領域の信号）を受信レベル・干渉レベル測定部５９に送る。受信レベル・干渉レベル測定部５９は、入力した周波数領域の信号に基づいて、周波数チャネル毎に受信レベルと干渉レベルの測定を行う。端末装置２００は、その測定結果を受信レベル情報及び干渉レベル情報として、送信機６５、スイッチ５２、無線部５１を経由して、アンテナ部５０から基地局側に送信（通知）する。なお、基地局装置１００と同じ名称の構成要素は同様の動作であるため、説明を省略する。
【００４７】
また、各端末が測定する受信電力の一例を示す。図５は、周波数チャネル数を４とした場合における各端末の受信電力の一例を示す図である。図５に示す各端末の受信電力は、全ての端末に対し一定の送信電力（１０ｄＢｍ）によって送信（報知）される制御信号を受信した際の受信電力を示す。但し、制御信号は全ての周波数チャネル（ここでは４つの周波数チャネル）において等電力及び同一タイミングで送信されるものとする。図５に示すように、一定の送信電力で送信された各周波数チャネルの制御信号は、周波数選択性フェージングの影響により端末側では周波数チャネル毎に異なる受信電力で受信される。本実施の形態では、各端末は、このような周波数チャネル毎の受信電力を測定し、測定結果を受信レベル情報としてそれぞれ基地局に報告する。
【００４８】
各端末からそれぞれの周波数チャネルにおける受信電力（受信レベル情報）を報告された基地局は、まず各端末における周波数チャネル全体の受信レベルを算出するために、各周波数チャネルの受信電力を端末毎に平均処理する。次に、基地局は、平均処理された各端末の受信レベルを比較し、全体的な受信レベルの低い端末から優先的に周波数チャネルの割り当てを行っていく。
【００４９】
次いで、本実施の形態のスケジューリング法について動作を詳細に説明する。図６は、本実施の形態における基地局側のスケジューリングに関する動作の一例を示すフローチャートであり、図７は、本実施の形態における端末側の動作の一例を示すフローチャートである。
【００５０】
まず基地局側では、基地局装置１００は、セル内の全端末に対する制御情報をあらかじめ決められた電力により（送信電力制御を行わずに）送信する（Ｓ１）。次に、上位層において、同一時間チャネルに割り当てる端末を選択する（Ｓ２）。この時、１つの時間チャネルにおいて使用可能な周波数リソース（図５の例では４つの周波数チャネルが存在）と各端末が要求するリソースの量を考慮し、（各端末が要求するリソースの和）≦（使用可能なリソース）を満たすように端末がリストアップされ、端末情報が生成される（図１、２の例では端末Ａ〜Ｄが選択されている）。以下、スケジューリング部１９内で使用する端末情報を「リスト」と記す。
【００５１】
次に、基地局装置１００は、各端末から報告されてくる各周波数チャネルの受信レベル及び干渉レベルを測定した結果（受信レベル情報、干渉レベル情報）を受信する（Ｓ３、Ｓ４）。これにより、各端末における周波数チャネル毎の受信レベル情報（図５に一例を示す）と干渉レベル情報を基地局にて把握することができる。スケジューリング部１９は、得られた各端末の受信レベル情報を基に、リストにリストアップされた端末の受信レベルの比較を行う（演算処理：Ｓ５）。この時、本実施の形態では、スケジューリング部１９は、端末毎に各周波数チャネルの受信レベルを平均化し（平均処理）、平均処理後の値を比較（比較処理）するものとする。
【００５２】
次に、スケジューリング部１９は、先にリストアップされた端末の中から最も受信レベルの低い端末を選択し（選択処理：Ｓ６）、選択した端末において最も良好な受信特性が得られる周波数チャネルを該当端末に割り当てる（割当処理：Ｓ７）。本実施の形態では、スケジューリング部１９は、この周波数チャネルの割り当てを各端末が要求するリソース量に応じて行うものとする。例えばステップＳ５において選択された端末が２つの周波数チャネルを要求している場合には、スケジューリング部１９は、該当する端末において良好な受信特性が得られる上位２つの周波数チャネルを割り当てることとする。スケジューリング部１９は、選択された端末への周波数チャネル割り当てが終わった後に該当端末をリストから削除する（リスト更新処理：Ｓ８）。
【００５３】
スケジューリング部１９は、リストに含まれる端末数がゼロか否かの判定を行う（端末数確認処理：Ｓ９）。リストに含まれる端末数がゼロでない場合には（Ｓ９でＮｏ）、スケジューリング部１９は、周波数チャネルの未割り当て端末が存在するものと判断しステップＳ５の処理に戻る。このように、先にリストアップされた全ての端末に対する周波数チャネルの割り当てが完了するまでＳ５〜Ｓ９の処理を繰り返し行う。
【００５４】
一方、リストに含まれる端末数がゼロの場合には（Ｓ９でＹｅｓ）、スケジューリング部１９は、先にリストアップされた全ての端末について周波数チャネルの割り当てが完了したものと判断し、スケジューリング部１９は、各端末を割り当てたスケジューリング情報を送信電力決定部２０等へ出力する。
【００５５】
ステップＳ５〜ステップＳ９の処理をリストアップされた端末数分繰り返し行い、全ての端末への周波数チャネル割り当てが完了すると、各端末に対するデータ伝送を行うために、割り当てられた周波数チャネルにおける受信状況を考慮して伝送に用いる変調パラメータ（変調方式及び符号化率）と送信電力が決定される（Ｓ１０）。送信電力決定部２０は、この時の送信電力を、各端末に対してそれぞれ割り当てられた周波数チャネルにおける受信電力（受信ＳＮＲ）が一定となる値に設定する。また、変調パラメータ決定部２１は、伝送するデータの誤り率が予め決められた閾値以下となるよう、自端末の送信電力とステップＳ４において報告された周波数チャネル毎の干渉レベルに応じて変調パラメータを決定する。次いで、基地局装置１００は、スケジュール結果をセル内の全端末に報知する制御情報の伝送と、各端末に割り当てられた周波数チャネルにおいて先に決定された変調パラメータ及び送信電力によりそれぞれの端末に対するデータ伝送を行い（Ｓ１１）、基地局側の処理を完了する。
【００５６】
なお、図６では、ある端末に対する周波数チャネルの割り当てが終わる度にステップＳ５において残りの端末の受信レベルを比較する処理を行っているが、この処理は予め各端末の受信レベルを順位付けしておくことにより省略することができる。例えば、リスト内の端末の受信レベルの平均処理を実施し、各端末の平均値を比較して、受信電力の小さい順に並べた第２のリストを生成し（順序決定処理）、第２のリストの順番に、チャネルを端末に割り当て、（割当処理：Ｓ７）、第２のリストから割りたてた端末を削除し（リスト更新処理：Ｓ８）、第２のリストに残っている端末数を確認する処理（端末数確認処理：Ｓ９）を繰り返すことも可能である。
【００５７】
また、スケジューリング部１９（スケジューリング装置）は、図６のフローチャートで説明した各処理、平均処理、選択処理、割当処理、リスト更新処理を実施する各構成要素を含むような構成をとることもできる。例えば、平均処理を実施する演算部、選択処理を実施する選択部、割当処理を実施する割当部、リスト更新処理を実施する更新部などを含み、入力する受信レベル情報、端末情報や生成するスケジューリング情報を一時的に記憶するメモリを備える。また、その他の各処理（比較処理、順序決定処理など）も、それぞれの構成要素となり得る。各構成要素は、回路等のハードウェアや、プログラムの各手順（各処理を実施する手順）によって実現するソフトウェア、あるいは、ハードウェアとソフトウェアとの組み合わせによって実現することができる。
【００５８】
スケジューリング部（スケジューリング装置）１９の構成の一態様を説明する。図８は、スケジューリング部（スケジューリング装置）１９の構成の一例を示すブロック図である。スケジューリング部１９は、割当順決定部３０１、割当部３０２、並びに、リスト管理部３０３を備える。
【００５９】
割当順決定部３０１は、受信レベル情報を入力し、入力した受信レベル情報に基づいて、受信レベルが低い順番に端末装置を割り当てる割当順を決定する。この際、どの端末装置をスケジューリングの対象とするかについては、リスト管理部３０３から端末情報を取得することによって把握する。割当順決定部３０１で実施する機能は、図６に示す平均処理や比較処理を含む演算処理（Ｓ５）、選択処理（Ｓ６）に相当する。
【００６０】
割当部３０２は、割当順決定部３０１が決定した割当順に従って、各端末装置に周波数チャネルを割り当てる。具体的には、割当部３０２は、各端末装置において他の端末装置に割り当てられていない周波数チャネルの中で通信特性の良い周波数チャネルを選択し、選択した周波数チャネルを、割り当て対象となっている端末装置に割り当て、割り当てた結果を示すスケジューリング情報を生成する。割当部３０２で実施する機能は、図６に示す割当処理（Ｓ７）に相当する。
【００６１】
リスト管理部３０３は、端末情報を入力し、入力した端末情報を管理（更新）する。リスト管理部３０３は、入力した端末情報を一時的に記憶し、割当順決定部３０１へ通知する。また、リスト管理部３０３は、割当部３０２から割り当てを完了した端末装置を通知され、通知された端末装置（端末装置の番号）をリストから削除する（リスト更新処理：Ｓ８）。リスト管理部３０３は、まだ割り当てていない端末装置番号を割当順決定部３０１に通知し、割当順決定部３０１は、リスト管理部３０３からの通知に基づいて、演算処理（Ｓ５）、選択処理（Ｓ６）を実行し、割当部は、割当処理（Ｓ７）を実行することを、全端末装置の割り当てが完了するまで繰り返す。
【００６２】
なお、図８に示す構成並びに機能は一例であり、これらに限られることはない。スケジューリング部１９は、複数の端末装置において測定された受信レベルが低い端末装置から順に、各端末装置において他の端末装置に割り当てられていない周波数チャネルの中で通信特性の良い周波数チャネルを割り当てるという方法を実施するものであれば、他の構成であってもかまわない。また、割当順決定部３０１は、端末情報にリストアップされた端末装置を割当順に並べ替えた割当順リストを生成し、リスト管理部３０３は、割当順決定部３０１が生成した割当順リストを記憶し、割当部３０２は、割当順リストの順番に、各端末装置へ割当をすることもできる。
【００６３】
次に、端末側では、端末装置２００は、基地局から送信された（図７のＳ１）制御情報を受信し（Ｓ２０）、受信レベル・干渉レベル測定部５９は、各周波数チャネルの受信電力（受信ＳＮＲ）の測定を行う（Ｓ２１）。この時、基地局から送信される制御情報は送信電力制御されずに全周波数チャネルにおいて一定の送信電力で送信されるため、各端末では距離減衰、シャドウイング、フェージングの影響を受けた信号の電力が図５に示すように観測される。端末装置２００は、周波数チャネル毎に測定した受信電力（受信ＳＮＲ）に関する情報を、基地局に通知する（Ｓ２２）。また、受信レベル・干渉レベル測定部５９は、隣接セルにおいてデータ伝送を行っている時間チャネルにおいて、隣接セルから到来する干渉電力を測定し（Ｓ２３）、端末装置２００は、干渉レベルの測定結果についても基地局に通知する（Ｓ２４）。
【００６４】
ステップＳ２２で基地局に通知された受信電力（受信ＳＮＲ）に関する情報（受信レベル情報）は、基地局において周波数チャネルの割り当てを行う優先順位を決定する際と送信電力制御を行う際に用いられる。また、ステップＳ２４で基地局に通知された干渉電力に関する情報（干渉レベル情報）は、基地局から各端末へデータを伝送する際の変調パラメータを決定する際に用いられる。端末装置２００は、基地局から送信されたスケジューリング結果を含む制御情報とデータの受信を行い（Ｓ２５）、端末側の処理を完了する。この時、制御情報に含まれているスケジューリング情報により自身が割り当てられた周波数チャネルの位置を正しく把握することができ、送信されたデータを正しく復調することが可能となる。
【００６５】
図５の受信電力を用いて、本実施の形態のスケジューリング方法を具体的に説明する。
基地局側では、スケジューリング部１９は、各端末の受信電力の平均値を算出する。図５では、端末Ａは、−６０ｄＢｍ、端末Ｂは、−７５ｄＢｍ、端末Ｃは、−８５ｄＢｍ、端末Ｄは、−９０ｄＢｍとなる。次いで、スケジューリング部１９は、図５に示す例では端末Ｄの受信レベルが最も低いため、まず端末Ｄから周波数チャネルの割り当てを行う。この時、スケジューリング部１９は、端末Ｄにおいて最も良好な受信特性が得られる周波数チャネル２を端末Ｄへ割り当てる。スケジューリング部１９は、残りの３端末の中では端末Ｃの受信レベルが最も低いため、次に端末Ｃにおいて最も良好な受信特性が得られる周波数チャネル４を端末Ｃへ割り当てる。同様に、次は端末Ｂへ周波数チャネル１を割り当てる。
【００６６】
最後に、スケジューリング部１９は、４端末の中で最も受信レベルの高い端末Ａへの周波数チャネル割り当てを行うが、端末Ａにおいて最も良好な受信特性が得られる周波数チャネル２は既に端末Ｄに割り当てられているため、端末Ａに割り当てることはできない。また、端末Ａにおいて２番目に良好な受信特性が得られる周波数チャネル１も既に端末Ｂに割り当てられているため、端末Ａに割り当てることはできず、端末Ａには３番目に良好な受信特性が得られる周波数チャネル３が割り当てられることとなる。このように、全体的な受信レベルの低い（より高い送信電力が必要となる）端末を優先した周波数チャネルの割り当てを行うことにより、基地局から遠い地点に位置する端末、つまり隣接セルへ大きな影響を与える端末から順に良好な周波数チャネルを使用できる。
【００６７】
このような周波数チャネルの割り当てを行った後、基地局装置１００は、割り当てられた周波数チャネルにより各端末宛のデータを伝送することとなるが、この時基地局装置１００では、端末における受信状況を考慮した送信電力制御が送信電力決定部２０によって行われる。例えば、全ての端末における受信電力を−９０ｄＢｍに調整する送信電力制御を行う場合、端末Ａ宛のデータは周波数チャネル３を用いて−１８ｄＢｍの電力で送信される。同様に、端末Ｂ宛のデータは周波数チャネル１を用いて−７ｄＢｍの電力で、端末Ｃ宛のデータは周波数チャネル４を用いて３ｄＢｍの電力で、端末Ｄ宛のデータは周波数チャネル２を用いて９ｄＢｍの電力で送信されることとなる。このように、送信電力決定部２０は、端末毎に、割り当てられた周波数チャネルにおいて端末が測定した受信電力と、所望の受信電力（調整する受信電力、端末が受信時に得られる受信電力）との差分値に基づいて、各端末宛の送信データを送信する電力を決定する。
【００６８】
以上の周波数スケジューリング及び送信電力制御を行った場合、隣接セル（セル２）の端末へ与える干渉量は以下のようになる。例えば図１の端末Ｅを対象とし、セル１の基地局から斜線の端末の距離減衰を−１１０ｄＢ（簡単のためフェージング変動は考慮しない）とすると、周波数チャネル１における干渉電力は−１１７ｄＢｍ、周波数チャネル２における干渉電力は−１０１ｄＢｍ、周波数チャネル３における干渉電力は−１２８ｄＢｍ、周波数チャネル４における干渉電力は−１０７ｄＢｍとなる。
【００６９】
ここで仮に、端末Ａから（受信電力の高い端末から）順に良好な周波数チャネルを割り当てた場合に隣接セルへ与える干渉電力を算出すると以下のようになる。端末Ａ〜Ｄの順に周波数チャネルの割り当てを行うと、端末Ａは周波数チャネル２に、端末Ｂは周波数チャネル１に、端末Ｃは周波数チャネル４に、端末Ｄは周波数チャネル３にそれぞれ割り当てられる。この時、セル２内に位置する斜線の端末において観測される干渉電力は、周波数チャネル１で−１１７ｄＢｍ、周波数チャネル２で−１３３ｄＢｍ、周波数チャネル３で−９９ｄＢｍ、周波数チャネル４で−１０７ｄＢｍとなる。
【００７０】
この例では、本実施の形態による周波数スケジューリング（前者）を行った場合には、受信電力の高い端末から順に周波数スケジューリング（後者）を行った場合に比べ、端末Ａ宛のデータによる干渉が５ｄＢ増加するものの、端末Ｄ宛のデータによる干渉を２ｄＢ低減することができている。ここで、端末Ａ宛のデータによる干渉は、いずれのスケジューリングを行った場合にも雑音レベルと比較して十分低い値に減衰しており、受信ＳＩＮＲ（Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ）に基づいて適応変調を行う場合に選択される変調方式及び符号化率は、端末Ａ宛のデータによる干渉の増減にはほとんど依存しない。これに対し、端末Ｄ宛のデータによる干渉は全周波数チャネルの中で最大であり高いレベルを有している。これは、４端末のうち端末Ｄが最も隣接セルに近い地点に位置しており、受信電力が一定となる送信電力制御を行う場合には端末Ｄ宛のデータによる干渉が最も大きく隣接セルへ影響を及ぼすためである。このため、隣接セルにおいて選択される変調方式及び符号化率は、端末Ｄ宛のデータによる干渉の増減に大きく依存することとなる。したがって、本発明の実施の形態による周波数スケジューリング（前者）を用いて端末Ｄ宛のデータによる干渉を低減することにより、隣接セルにおいてより高い伝送レートを達成できる変調方式及び符号化率を選択することが可能となり、システム全体のスループットの向上を図ることができる。
【００７１】
このように、各端末が、周波数チャネル毎の受信品質を測定し、それを基地局に通知することにより、基地局は、端末の位置や受信状況に応じた周波数スケジューリングを行うことができる。また、各端末における受信状況及びスケジュール結果に基づく送信電力制御を行うことにより、マルチユーザダイバーシチの効果を得つつ隣接セルへ与える干渉電力を低減することができる。これにより、隣接セルにおいてより高い伝送レートを達成できる変調方式及び符号化率を選択することが可能となり、システム全体でのスループットの向上を図ることができる。
【００７２】
なお、上記実施の形態では、同一時間チャネルに割り当てられる全ての端末について受信レベルの低い端末から順に周波数スケジューリングを行うものであったが、これとは異なり、同一時間チャネルに割り当てられる全ての端末を受信レベルに応じて幾つかのグループに分割し、受信レベルの低い端末が属するグループから順に周波数スケジューリングを行う形態としても良い。具体的には、基地局では、各端末から通知されたそれぞれの受信レベルを基に、同程度の受信レベルが得られる端末をグループ化し、より受信レベルの低い端末が属するグループから順に周波数チャネルの割り当てを行う。但し、この時、グループ内の各端末におけるチャネル割り当ての優先順位付けについては、どのような手法を用いて行っても良い。
【００７３】
また、上記実施の形態では、全ての端末における受信電力が一定となるよう送信電力制御を行うものとしているが、設定可能な送信電力が離散的なシステムを対象とする場合、必ずしも全ての端末における受信電力が一定とはならない。しかし、そのようなシステムにおいても本実施の形態による周波数スケジューリングを行うことにより、隣接セルへ与える影響の大きいユーザから順に周波数チャネルの割り当てを行うことが可能となり干渉を低減できる。
【００７４】
さらに、上記実施の形態では、受信レベル（受信ＳＮＲ）と干渉レベルを別々に測定し、周波数スケジューリングや送信電力制御等に用いたが、受信機によってはその両方を含む受信ＳＩＮＲのみ測定可能である場合もある。しかし、そのような場合にも、受信ＳＩＮＲのレベルが低い（基地局から遠い）順に周波数スケジューリングを行い、割り当てられた周波数チャネルの状況に応じて送信電力制御を行うことにより隣接セルへ与える干渉を低減することができる。
【００７５】
また、図６では、各端末から通知された受信電力を平均して、各端末の受信レベルを比較する動作を一例として説明したが、これに限られるわけではない。スケジューリング部１９は、所定の範囲内の受信電力を抽出し、抽出した受信電力のみの平均算出する演算処理を実施してもよい。例えば、端末による測定の不具合と判断されるチャネルの受信電力を平均値から除くこともできる。
【００７６】
上記では、基地局から端末へのデータ伝送（ダウンリンク伝送）を例として、本発明に係る周波数スケジューリング方法及びスケジューリング装置について説明したが、これに限らず、本発明は端末から基地局へのデータ伝送（アップリンク伝送）にも適用可能である。ここで、本発明に係る周波数スケジューリングをアップリンク伝送に適用する場合の基地局装置の構成及び端末装置の構成をそれぞれ図９、図１０に示す。但し、図３、図４と同じ動作をするブロックについては同じ番号を付している。
【００７７】
図９に示すように、アップリンク伝送を対象とする場合、基地局装置１１０は端末装置２１０から送信された信号を受信する際の受信レベルと干渉レベルの測定を行い、その測定結果を端末装置２１０へ通知する構成となる。また、図３の場合と同様、端末装置２１０から通知された受信レベル情報に基づきスケジューリングを行い、スケジューリング結果（スケジューリング情報）を端末装置２１０に通知する。図９では、アップリンク伝送を対象としているため、送信電力制御部や変調パラメータ決定部については特に設けていない（図示していない）。また、受信レベル・干渉レベル測定部（測定部）１１１は、基地局装置１１０が受信した信号の各周波数チャネルにおける受信レベル・干渉レベルを測定し、測定結果（受信レベル情報、干渉レベル情報）を送信機１１２を介して端末装置２１０へ送信する。
【００７８】
また、端末装置２１０は、図１０に示すように、基地局装置１１０から通知されたスケジューリング情報より、自身が割り当てられた周波数チャネルを認識し、その周波数チャネルを使用する場合に必要となる送信電力を送信電力決定部２１１において決定する構成となっている。その際、送信電力決定部２１１では基地局装置１１０側の受信レベル情報も用いて送信電力を決定する。また、変調パラメータ決定部２１２では、送信電力決定部２１１において決定された送信電力と、基地局装置１１０側の受信レベル情報及び干渉レベル情報を基に、データ伝送の際に用いる変調方式及び符号化率を決定する。また、送信機２１４には、送信電力制御部２１３が配置され、送信電力制御部２１３は、送信電力制御情報に基づいて、送信電力を制御する。
【００７９】
図９、図１０に示すような構成とすることにより、アップリンク伝送を行う場合にも本発明によるスケジューリング方法を適用することができ、高いマルチユーザダイバーシチ効果を得つつ隣接セルへ与える干渉を低減し、システム全体でのスループットの向上を図ることが可能となる。
【００８０】
以上の実施の形態では、基地局装置から所定の送信電力で送信された信号を各端末装置において受信した際の受信レベルが低い端末から順に周波数スケジューリングを行うことにより、隣接セルへ与える干渉の軽減を図る形態となっていた。つまり、受信レベルが低い端末は、隣接セルへ与える影響の大きいセルエッジ付近に位置する（基地局から遠くに位置する）ものとみなしてスケジューリングを行っていたが、これとは異なり、実際に基地局と端末との距離を算出し、その距離情報に基づくスケジューリングを行う形態としてもよい。この距離情報は、例えば、端末にＧＰＳ（Ｇｌｏｂａｌ  Ｐｏｓｉｔｉｏｎｉｎｇ  Ｓｙｓｔｅｍ）機能が備えられている場合には、各端末において各々の位置（緯度や経度等）を検出し、その位置情報を基地局装置に通知することにより簡単に算出することができる。このような距離情報に基づき、基地局装置から遠い地点に位置する端末装置から順にスケジューリングを行うことにより、隣接セルへ与える影響の大きい端末から順に良好な特性の得られるチャネルへ割り当てることができる。
【００８１】
このようなスケジューリングを行う場合の端末装置には、図４または図１０に示す構成に加え、更に、ＧＰＳ機能と位置情報を基地局に通知する機能が必要となる。例えば、端末装置は、ＧＰＳ機能などによって測定（取得）した位置を示す位置情報を生成する位置情報生成部を更に備え、送信機６５が、生成した位置情報を通信先の通信制御装置へ送信する。また、基地局装置には、図３または図９に示す構成に加え、更に、端末から通知される位置情報を受信する機能が必要であり、端末から通知された位置情報から自装置と各端末との距離を算出し、それに基づくスケジューリングを行うようスケジューリング部を変更する必要がある。例えば、図８において、スケジューリング部１９は、各端末から通知された位置情報に基づいて、自装置と各端末との距離（端末装置−通信制御装置間の距離）を算出する距離算出部を更に備え、割当順決定部３０１は、受信レベルに替えて、算出した端末装置−通信制御装置間の距離が遠い順に端末装置の割当順を決定する。端末装置及び基地局装置を以上のように変更することにより、各端末の位置情報に基づくスケジューリングを行うことができる。
【図面の簡単な説明】
【００８２】
【図１】基地局と端末の位置関係の一例を示す図である。
【図２】基地局と各端末間の距離減衰の一例を示す図である。
【図３】本実施の形態の基地局装置の構成の一例を示すブロック図である。
【図４】本実施の形態の端末装置の構成の一例を示すブロック図である。
【図５】周波数チャネル数を４とした場合における各端末の受信電力の一例を示す図である。
【図６】本実施の形態における基地局側のスケジューリングの動作の一例を示すフローチャートである。
【図７】本実施の形態における端末側のスケジューリングに関する動作の一例を示すフローチャートである。
【図８】スケジューリング部（スケジューリング装置）の構成の一例を示すブロック図である。
【図９】アップリンク伝送の場合の基地局装置の構成の一例を示すブロック図である。
【図１０】アップリンク伝送の場合の端末装置の構成の一例を示すブロック図である。
【符号の説明】
【００８３】
１０、５０  アンテナ部
１１、５１  無線部
１２、５２  スイッチ
１３、５３  アナログ／ディジタル（Ａ／Ｄ）変換部
１４、５４  同期部
１５、５５  ガードインターバル（ＧＩ）除去部
１６、５６  シリアル／パラレル（Ｓ／Ｐ）変換部
１７、５７  ＦＦＴ部
１８、５８  復調・誤り訂正復号部
１９  スケジューリング部
２０、２１１  送信電力決定部
２１、２１２  変調パラメータ決定部
２２、６０  誤り訂正符号化・変調部
２３、２１３  送信電力制御部
２４、６１  ＩＦＦＴ部
２５、６２  ＧＩ挿入部
２６、６３  ディジタル／アナログ（Ｄ／Ａ）変換部
２７、６４  受信機
２８、６５  送信機
５９、１１１  受信レベル・干渉レベル測定部
１００、１１０  基地局装置
２００、２１０  端末装置
３０１  割当順決定部
３０２  割当部
３０３  リスト管理部
【図１】
2007251651.tif 000003
【図２】
2007251651.tif 000004
【図３】
2007251651.tif 000005
【図４】
2007251651.tif 000006
【図５】
2007251651.tif 000007
【図６】
2007251651.tif 000008
【図７】
2007251651.tif 000009
【図８】
2007251651.tif 000010
【図９】
2007251651.tif 000011
【図１０】
2007251651.tif 000012